(57)【要約】      （修正有）【課題】硬質層の厚さが増えないまま耐衝撃性が大きく向上する袋体であり、釣竿の部品や他の魚釣に必要な小物を収納するための収納袋が、本体と一体になる上、本体の外表面から突出していず、外からの衝撃を受けにくい袋体を提供する。【解決手段】筒状の周壁で囲んでなる袋体において、周壁は、それぞれ筒状の内外２層の被覆層１２，１３と、その間に挟まれ、その筒状上に筒内へ窪んだり筒外へ出っ張ったりして峰部１３３と谷部１３５とを有する少なくとも一部が波状の硬質層とからなる。波状は複数の波からなり、複数の波には内外２層の被覆層と合わせられて補助収納空間１３７となる。【選択図】図３
0003138588.tif 000002
【実用新案登録請求の範囲】
【請求項１】
筒状の周壁で収納空間を囲んでなる袋体において、前記周壁は、それぞれ筒状の内外２層の被覆層と、筒状で前記内外２層の被覆層の間に挟まれ、その筒状上には筒内へ窪んだり筒外へ出っ張ったりして峰部と谷部とを有する少なくとも一部が波状の硬質層とからなることを特徴とする袋体。
【請求項２】
前記波状は、異なる波高を有する複数の波からなることを特徴とする請求項１に記載の袋体。
【請求項３】
前記波状は、複数の波からなっており、前記複数の波にはその筒外から筒内へ窪んだ谷部が前記外層の被覆層と合わせられて補助収納空間となっていることを特徴とする請求項１に記載の袋体。
【請求項４】
前記筒状の周壁に、前記外層の被覆層と、前記硬質層と、前記内層の被覆層とを通過して前記収納空間と連通した通孔があり、前記外層の被覆層を通過して前記補助収納空間と連通した通孔があることを特徴とする請求項３に記載の袋体。
【請求項５】
前記硬質層は、耐衝撃性のプラスチック材から上下２つの互いに連続していない別体に成形されており、
また、前記内外２層の被覆層は可撓材からなり、前記内層の被覆層は軟質材であり、前記外層の被覆層は硬直性のある材質であることを特徴とする請求項１〜４のいずれか一項に記載の袋体。
【考案の詳細な説明】
【技術分野】
【０００１】
本考案は、袋体に関し、特に例えば釣竿、剣道具、ゴルフクラブなどを収納するためのバッグに適用される袋体に関する。
【背景技術】
【０００２】
従来の袋体は、例えば釣竿袋に適用したものを例として挙げてみると、通常、図９及び図１０に示すように、主として筒状の周壁９０で収納空間９５を囲んでなる（特許文献１参照）。該従来の袋体は、その周壁９０が、それぞれ筒状となる内外２層の布地製の被覆層９１、９２と、筒状ともなって前記内外２層の被覆層９１、９２の間に挟まれている発泡体シート製の硬質層９３とからなるので、その収納空間９５内に収納される釣竿を保護することができる。該従来の袋体の外表面には、また、釣竿の部品や他の魚釣に必要な小物を収納するための収納袋９４が附設されている。
【０００３】
このような袋体の構成を検討すると、まず、その収納空間９５内に収納される釣竿などを更に確実に外からの衝撃から保護しようとすると、その硬質層９３を従来より厚めに製作しなければならない。しかし、硬質層９３を厚めに製作すると、袋体が大きくなり重くなる、という欠点がある。
【０００４】
そして、その収納袋９４に注目すると、袋体の外表面に別体として附設されているので、袋体の本体から突出していて外力を受け易く、その収納空間内に収納される釣竿の部品や他の魚釣に必要な小物に損害を与えやすいばかりでなく、それ自体も破損したり剥離したりしやすい、という欠点がある。
【特許文献１】日本特許公開第２００４−１７３６３２号公報
【考案の開示】
【考案が解決しようとする課題】
【０００５】
前記問題点に鑑みて、本考案は、まず、その硬質層の厚さが増えないまま耐衝撃性が大きく向上する袋体を提供することを第１の目的とする。
【０００６】
本考案は、そして、その釣竿の部品や他の魚釣に必要な小物を収納するための収納袋がその本体と一体になる上、その本体の外表面から突出していず、外からの衝撃を受けにくい袋体を提供することを第２の目的とする。
【課題を解決するための手段】
【０００７】
前記第１の目的を達成するために、本考案は、筒状の周壁で囲んでなる袋体において、前記周壁は、それぞれ筒状の内外２層の被覆層と、筒状で前記内外２層の被覆層の間に挟まれ、その筒状上に筒内へ窪んだり筒外へ出っ張ったりして峰部と谷部とを有する少なくとも一部が波状の硬質層とからなる袋体を提供する。前記「少なくとも一部が波状の」とは、波状が硬質層の全体にあっても良く、硬質層の要所に選択的にあっても良い、ということを言う。
【０００８】
そして、前記第２の目的を達成するために、本考案は、また、前記波状は、複数の波からなっており、前記複数の波には前記内外２層の被覆層と合わせられて補助収納空間となった波もある袋体を提供する。その実施形態として、前記波状は、複数の波からなっており、前記複数の波にはその筒外から筒内へ窪んでなった谷部が前記外層の被覆層と合わせられて補助収納空間となった波も挙げられ、複数の波からなっており、前記複数の波にはその筒内から筒外へ出っ張ってなった峰部が前記内層の被覆層と合わせられて補助収納空間となった波も挙げられる。
【考案の効果】
【０００９】
前記構成による袋体は、その硬質層が、その筒状上に筒内へ窪んだり筒外へ出っ張ったりした波状となっているので、従来の筒状袋体より一層外力の衝撃に対抗できるので、厚さが増えないままで、耐衝撃性が向上する。
【００１０】
また、その小物を収納する補助収納空間は、その硬質層における波とその内外２層の被覆層とからなっているので、その本体と一体になる上、その本体から突出していず、従来の収納袋より外力による衝撃を受けにくい。特に、前記実施形態の中にある後者の、その補助収納空間が、その筒内から筒外へ出っ張ってなった峰部とその内層の被覆層と合わせてなっているので、補助収納空間内の内容物が更に硬質層により保護されるので、耐衝撃性が一層向上する。
【考案を実施するための最良の形態】
【００１１】
以下に添付図面を参照しながら、本考案の好適な実施形態例の袋体について詳細に説明する。図１は、釣竿袋としての本考案の好適な実施形態例の袋体の正面図である。図２は、図１の袋体の側面図である。図３は、図１における線III−IIIに沿う断面図である。図４は、図３における硬質層の展開模式図である。図５は、図４おける線V−Vに沿う断面図である。図６は、図１における線VI−VIに沿う断面図である。図７は、図６における硬質層の展開模式図である。図８は、図７おける線VIII−VIIIに沿う断面図である。
【００１２】
図１〜図３に示すように、本実施形態例の釣竿袋としての袋体は、筒状の周壁１で収納空間２を囲んでなるものである。図面を詳しくみると、該袋体の周壁１は、内外２層の被覆層１１、１２と、硬質層１３とからなる。筒状の周壁１に、外層の被覆層１２と、硬質層１３と、内層の被覆層１１とを通過して収納空間２と連通した通孔１４が設けられている。通孔１４は、収納空間２へ釣竿を差し入れたりまたはそれから取り出したりするための開口であってジッパが付いている。
【００１３】
内外２層の被覆層１１、１２は、いずれも可撓材から筒状となるが、そのうち、内層の被覆層１１は柔らかくて釣竿と摩擦しない軟質材であり、外層の被覆層１２はやや硬直で自己形状維持性が若干持っている材質である。
【００１４】
硬質層１３は、耐衝撃性のプラスチック材から筒状とも成形されたものであって、図３〜図８に示すように、内外２層の被覆層１１、１２の間に挟まれる上、その筒状上には筒内へ窪んだり筒外へ出っ張ったりして峰部（図３における１３３、図６における１３４）と谷部（図３における１３５、図６における１３６）とを有する波状となっている。この実施形態例において、硬質層１３は、上下２の互いに連続していない別体からなる（上部分１３１と下部分１３２とされている）。前記プラスチック材としては、この例においてＰＥが使用されているが、耐衝撃性のものであれば他にＰＰやＡＢＳなどが使用されてもよい。上記波状は一部にあっても良く、全体にあっても良い。
また、硬質層１３の前記波状は、異なる波高を有する複数の波からなる。
【００１５】
そして、図１〜図５に示すように、硬質層１３の上部分１３１における複数の波には、その筒外から筒内へ窪んでなった谷部１３５が外層の被覆層１２と合わせられて補助収納空間１３７となる上、その外層の被覆層１２を通過して該補助収納空間１３７と連通したジッパ付き通孔１３８（ジッパ付き開口）の設けられている波が２つある。この実施例における補助収納空間１３７内の硬質層１３には、ライニング１３９が張られている。このように、補助収納空間１３７は従来の収納袋の収納空間のような機能を果たすことができる。
【００１６】
一方、図１〜２及び図６〜８に示すように、硬質層１３の下部分１３２における複数の波には、その筒外から筒内へ窪んでなった谷部１３６が外層の被覆層１２と合わせられて補助収納空間１４０となる上、その外層の被覆層１２を通過して該補助収納空間１４０と連通したジッパ付き通孔１４１（ジッパ付き開口）の設けられている波が１つある。この実施例における補助収納空間１４０内の硬質層１３には、ライニング１４２が張られている。このように、補助収納空間１４０は従来の収納袋のような機能を果たすことができる。
【００１７】
この実施例は、複数の波には外層の被覆層１２と合わせられて補助収納空間１３７、１４０となった波があるのを例示しているが、図式から明らなように、内層の被覆層１１と合わせられて補助収納空間となった波もあるので、更に内層の被覆層１１を通過して該補助収納空間と連通したジッパ付き開口が設けられると、筒内にも収納袋のようなものが形成される。
【００１８】
以上、本考案の好適な実施形態例について説明したが、本考案は前記実施形態例に限定して狭義に解釈されるものではなく、本考案の思想の範囲内において種々の変形や変更が可能である。
【産業上の利用可能性】
【００１９】
叙上のように、本考案の袋体は、その硬質層の厚さが増えないまま耐衝撃性が大きく向上すると共に、その収納袋がその本体と一体になる上、その本体の外表面から突出していず、外からの衝撃を受けにくい。
【図面の簡単な説明】
【００２０】
【図１】釣竿袋としての本考案の好適な実施形態例の袋体の正面図である。
【図２】図１の袋体の側面図である。
【図３】図１における線ＩＩＩ−ＩＩＩに沿う断面図である。
【図４】図３における硬質層の展開模式図である。
【図５】図４おける線Ｖ−Ｖに沿う断面図である。
【図６】図１における線ＶＩ−ＶＩに沿う断面図である。
【図７】図６における硬質層の展開模式図である。
【図８】図７おける線ＶＩＩＩ−ＶＩＩＩに沿う断面図である。
【図９】従来の釣竿袋としての袋体の正面図である。
【図１０】図９における線Ｘ−Ｘに沿う断面図である。
【符号の説明】
【００２１】
１                    周壁
１１                  内層の被覆層
１２                  外層の被覆層
１３                  硬質層
１３１                上部分
１３２                下部分
１３３、１３４        峰部
１３５、１３６        谷部
１３７、１４０        補助収納空間
１３８、１４、１４１  通孔
１３９、１４２        ライニング
２                    収納空間
【図１】
0003138588.tif 000003
【図２】
0003138588.tif 000004
【図３】
0003138588.tif 000005
【図４】
0003138588.tif 000006
【図５】
0003138588.tif 000007
【図６】
0003138588.tif 000008
【図７】
0003138588.tif 000009
【図８】
0003138588.tif 000010
【図９】
0003138588.tif 000011
【図１０】
0003138588.tif 000012